(57)【要約】【課題】構造を簡単にして安価に多量生産しながら、伸縮脚の長さを正確に微調整する。【解決手段】伸縮脚を有するテーブルは、中空筒状の筒体３と固定具４と伸縮機構５とからなる伸縮脚２を天板１に固定している。固定具４は、筒体３に挿入される挿入部１２を固定ブロック１３及び複数の拡開ブロック１４に分割して、これらの間に拡開隙間１５を設けている。固定ブロック１３は、拡開ブロック１４の拡開隙間１５にねじ込まれる拡開ネジ１６を連結しており、拡開ネジ１６で拡開ブロック１４を拡開して、挿入部１２で筒体３の内面を押圧して筒体３を固定している。伸縮機構５は、筒体３の下端に固定してなる固定筒２１と、固定筒２１にねじ込まれる長さ調整ネジ２２と、長さ調整ネジ２２にねじ込んでなるロックナット２３とを備え、ロックナット２３を緩める状態で長さ調整ネジ２２を回転して伸縮脚２の長さを調整し、ロックナット２３を締め込んで固定している。【選択図】図４
2011136068.tif 000002
【特許請求の範囲】
【請求項１】
天板(1)に伸縮脚(2)を固定してなる高さ調整できるテーブルであって、前記伸縮脚(2)が中空筒状の筒体(3)と、この筒体(3)を天板(1)に固定してなる固定具(4)と、筒体(3)の下端に連結してなる伸縮機構(5)とからなり、
前記固定具(4)が、天板(1)の下面に固定される鍔部(11)と、この鍔部(11)に直交するように連結されて筒体(3)に挿入される柱状の挿入部(12)とからなり、
この挿入部(12)は、一端を鍔部(11)に連結してなる固定ブロック(13)及び複数の拡開ブロック(14)に分割されて、複数の拡開ブロック(14)と固定ブロック(13)との間に拡開隙間(15)を設けており、
固定ブロック(13)は、挿入部(12)の外周から前記拡開ブロック(14)の間に設けている拡開隙間(15)に向かってねじ込まれる拡開ネジ(16)をねじ込みできるように連結しており、
前記複数の拡開ブロック(14)の間に設けている拡開隙間(15)の間隔は、ここに挿入される拡開ネジ(16)の圧入部(16A)の外径よりも狭く、拡開隙間(15)に挿入される拡開ネジ(16)の圧入部(16A)でもって、拡開できる構造としており、
さらに、前記筒体(3)はその上端部に拡開ネジ(16)を回転させる開口部(17)を有し、
前記筒体(3)が固定具(4)の挿入部(12)に挿入され、拡開ネジ(16)が回転されて拡開ブロック(14)が拡開されて、前記挿入部(12)が前記筒体(3)の上端部の内面に押圧して固定され、
さらにまた、前記伸縮脚(2)の伸縮機構(5)は、筒体(3)の下端の内側に挿入して固定してなる内面に雌ネジ孔(21A)を有する固定筒(21)と、この固定筒(21)の雌ネジ孔(21A)にねじ込まれる長さ調整ネジ(22)と、長さ調整ネジ(22)の雄ネジ(22a)にねじ込んでなるロックナット(23)とを備え、
ロックナット(23)が緩められる状態で長さ調整ネジ(22)が回転されて、伸縮脚(2)の長さが調整され、ロックナット(23)を締め込んで所定の長さに固定されるようにしてなる伸縮脚を有するテーブル。
【請求項２】
前記固定具(4)が、ひとつの固定ブロック(13)と、ふたつの拡開ブロック(14)からなり、固定ブロック(13)にねじ込んでなる拡開ネジ(16)が、ふたつの拡開ブロック(14)の間の拡開隙間(15)にねじ込まれて、拡開ブロック(14)が拡開されるようにしてなる請求項１に記載される伸縮脚を有するテーブル。
【請求項３】
前記筒体(3)が円筒状又は角筒状のいずれかである請求項１に記載される伸縮脚を有するテーブル。
【請求項４】
前記筒体(3)が紙管(3A)である請求項１ないし３のいずれかに記載される伸縮脚を有するテーブル。
【請求項５】
前記筒体(3)が、木質系の板材(30)を角筒状に成形したものである請求項１または２に記載される伸縮脚を有するテーブル。
【請求項６】
テーブルが内部にヒーター(9)を有するこたつである請求項１ないし５のいずれかに記載される伸縮脚を有するテーブル。
【発明の詳細な説明】
【技術分野】
【０００１】
本発明は、主として、天板の下面にヒーターを固定しているこたつに使用される伸縮脚を有するテーブルに関する。
【背景技術】
【０００２】
こたつに使用されるテーブルは、脚を伸縮できる構造として便利に使用できる。このことを実現するために、伸縮脚を有するテーブルが開発されている。（特許文献１参照）
このテーブルは、図１の断面図に示すように、アルミニウム管からなる筒状の固定脚９１の内部に、アルミニウム製の昇降脚９２を摺動自在に挿入している。昇降脚９２は、その内側に凹溝９３を形成して、この凹溝９３の側面に凹溝状のスライダー収納部９４を形成している。このスライダー収納部９４に、ナット状のスライダー９５を回り止めした状態で摺動自在に収納している。さらに、固定脚９１に設けた貫通孔９６に挿通した止ネジ９７をスライダー９５にねじ込んでいる。このテーブルは、固定脚９１に対して昇降脚９２を摺動させた後、止ネジ９７を締め付けて、スライダー９５と止ネジ９７の頭部９８との間に固定脚９１および昇降脚９２が挟み込まれて、固定脚９１に昇降脚９２を固定する。
【先行技術文献】
【特許文献】
【０００３】
【特許文献１】特開２０００−６５０２０号公報
【発明の概要】
【発明が解決しようとする課題】
【０００４】
図１のテーブルは、止ネジを緩めて伸縮脚の長さを自由に調整できる。しかしながら、この構造のテーブルは、伸縮脚の構造が複雑で製作コストが高くなる欠点がある。また、止ネジをねじ込んで昇降脚を固定脚に固定するので、止ネジを強く確実にねじ込んで伸縮脚を固定しない状態にあっては、テーブルに作用する荷重で伸縮脚の長さが変化しやすい欠点もある。さらにまた、各々の伸縮脚の高さを微妙に調整するのが難しい欠点もある。それは、昇降脚を固定脚に出し入れして伸縮脚の高さを調整して止ネジで固定するからである。
【０００５】
本発明は、この欠点を解決することを目的に開発されたものである。本発明の重要な目的は、構造が簡単で安価に多量生産できる伸縮脚を有するテーブルを提供することにある。
また、本発明の他の大切な目的は、テーブルの荷重で伸縮脚の長さが変化することがなく、しかも伸縮脚の長さを正確に微調整でき、種々の使用場所において誰もが便利に使用できる伸縮脚を有するテーブルを提供することにある。
【課題を解決するための手段及び発明の効果】
【０００６】
本発明の伸縮脚を有するテーブルは、天板１に伸縮脚２を固定してなる高さ調整できるテーブルであって、伸縮脚２が中空筒状の筒体３と、この筒体３を天板１に固定してなる固定具４と、筒体３の下端に連結してなる伸縮機構５とからなる。固定具４は、天板１の下面に固定される鍔部１１と、この鍔部１１に直交するように連結されて筒体３に挿入される柱状の挿入部１２とからなる。この挿入部１２は、一端を鍔部１１に連結してなる固定ブロック１３及び複数の拡開ブロック１４に分割されて、複数の拡開ブロック１４と固定ブロック１３との間に拡開隙間１５を設けている。固定ブロック１３は、挿入部１２の外周から拡開ブロック１４の間に設けている拡開隙間１５に向かってねじ込まれる拡開ネジ１６をねじ込みできるように連結している。複数の拡開ブロック１４の間に設けている拡開隙間１５の間隔は、ここに挿入される拡開ネジ１６の圧入部１６Ａの外径よりも狭く、拡開隙間１５に挿入される拡開ネジ１６の圧入部１６Ａでもって、拡開できる構造としている。さらに、筒体３は、その上端部に拡開ネジ１６を回転させる開口部１７を有する。テーブルは、筒体３を固定具４の挿入部１２に挿入し、拡開ネジ１６を回転して拡開ブロック１４を拡開し、挿入部１２が筒体３の上端部の内面を押圧して固定される。さらにまた、伸縮脚２の伸縮機構５は、筒体３の下端の内側に挿入して固定してなる内面に雌ネジ孔２１Ａを有する固定筒２１と、この固定筒２１の雌ネジ孔２１Ａにねじ込まれる長さ調整ネジ２２と、長さ調整ネジ２２の雄ネジ２２ａにねじ込んでなるロックナット２３とを備えている。伸縮機構５は、ロックナット２３を緩める状態で長さ調整ネジ２２を回転して、伸縮脚２の長さを調整し、ロックナット２３を締め込んで所定の長さに固定している。
【０００７】
以上のテーブルは、簡単な構造で安価に多量生産できる特徴がある。それは、耐荷重特性に優れるにもかかわらず安価な筒状の筒体を伸縮脚に利用すると共に、この筒体を簡単な構造でテーブルに確実に固定し、さらに中空の筒状である筒体を利用して伸縮機構の長さ調整ネジを筒体の内部にねじ込んで長さを調整しているからである。また、筒状の筒体は、その上端の内側に固定具の挿入部を挿入して、内側から拡開する状態で天板に固定され、また、下端に挿入して固定している固定筒に長さ調整ネジをねじ込んで長さ調整できる構造とするので、筒体の上下に挿入部や固定筒を挿入して固定することから、これらを強靱な構造で固定できる特徴も実現する。それは、筒状の筒体は、内側から拡開される力に対して極めて強靱な強度特性を有するからである。
【０００８】
また、以上のテーブルは、テーブルの荷重で伸縮脚の長さが変化することがなく、しかも伸縮脚の長さを正確に微調整することで、種々の使用場所において誰もが便利に使用できる特徴がある。それは、以上のテーブルが、図１の伸縮脚のように、止ネジをねじ込んでスライダーの摩擦抵抗で昇降脚を固定脚に固定するのでなく、長さ調整ネジをねじ込んで伸縮脚の長さを調整して、これをロックナットで固定するからである。長さ調整ネジは、ねじ込み量で伸縮脚の長さを簡単に正確に、しかも微妙に調整できる。このため、たとえば、４本の伸縮脚を天板の四隅に固定しているテーブルにあっては、テーブルを設置する面の水平度を伸縮脚で調整しながら、正確な高さにロックナットで固定できる。
【０００９】
本発明の伸縮脚を有するテーブルは、固定具４を、ひとつの固定ブロック１３と、ふたつの拡開ブロック１４で構成し、固定ブロック１３にねじ込んでなる拡開ネジ１６を、ふたつの拡開ブロック１４の間の拡開隙間１５にねじ込んで、拡開ブロック１４を拡開することができる。
【００１０】
本発明の伸縮脚を有するテーブルは、筒体３を、円筒状又は角筒状のいずれかとすることができる。
【００１１】
本発明の伸縮脚を有するテーブルは、筒体３を紙管３Ａとすることができる。
このテーブルは、伸縮脚の筒体を紙管とするので、簡単な構造としながら極めて安価に多量生産できる特徴がある。さらに、紙管である筒体は、優れた耐荷重特性を実現しながら軽量にできる特徴もある。
【００１２】
本発明の伸縮脚を有するテーブルは、筒体３を、木質系の板材３０を角筒状に成形したものとすることができる。
このテーブルは、伸縮脚の筒体の耐荷重特性をさらに向上して、天板を安定して支持できる。
【００１３】
本発明の伸縮脚を有するテーブルは、テーブルを、内部にヒーター９を有するこたつとすることができる。
【図面の簡単な説明】
【００１４】
【図１】従来の伸縮脚を有するテーブルの断面図である。
【図２】本発明の一実施例にかかる伸縮脚を有するテーブルの斜視図である。
【図３】図２に示すテーブルを下側から見た分解斜視図である。
【図４】図３に示すテーブルの伸縮脚の分解斜視図である。
【図５】図４に示す伸縮脚の固定具と筒体の連結構造を示す拡大斜視図である。
【図６】伸縮脚の固定具と筒体の連結構造を示す水平断面図である。
【図７】伸縮脚の固定具と筒体の連結構造を示す水平断面図である。
【図８】伸縮脚の固定具と筒体の連結構造を示す垂直断面図である。
【図９】伸縮機構を示す分解斜視図である。
【図１０】伸縮脚の長さを調整する工程を示す斜視図である。
【図１１】伸縮脚の長さを調整する工程を示す斜視図である。
【図１２】伸縮脚の長さを調整する工程を示す斜視図である。
【図１３】本発明の他の実施例にかかる伸縮脚を有するテーブルの伸縮脚の分解斜視図である。
【図１４】図１３に示す伸縮脚の固定具と筒体の連結構造を示す水平断面図である。
【図１５】図１３に示す伸縮脚の固定具と筒体の連結構造を示す水平断面図である。
【図１６】本発明の他の実施例にかかる伸縮脚を有するテーブルの伸縮脚の底面斜視図である。
【図１７】図１６に示す伸縮脚の分解斜視図である。
【図１８】図１７に示す伸縮脚の筒体の製造工程を示す斜視図である。
【図１９】図１７に示す伸縮脚の筒体の製造工程を示す斜視図である。
【図２０】図１７に示す伸縮脚の筒体の製造工程を示す斜視図である。
【図２１】図１７に示す伸縮脚の筒体の製造工程を示す斜視図である。
【図２２】筒体の他の一例を示す斜視図である。
【図２３】筒体の他の一例を示す斜視図である。
【発明を実施するための形態】
【００１５】
以下、本発明の実施例を図面に基づいて説明する。ただし、以下に示す実施例は、本発明の技術思想を具体化するための伸縮脚を有するテーブルを例示するものであって、本発明はテーブルを以下のものに特定しない。
【００１６】
さらに、この明細書は、特許請求の範囲を理解しやすいように、実施例に示される部材に対応する番号を、「特許請求の範囲」および「課題を解決するための手段の欄」に示される部材に付記している。ただ、特許請求の範囲に示される部材を、実施例の部材に特定するものでは決してない。
【００１７】
図２と図３に示すテーブルは、天板１の下面にヒーター９を固定しているこたつに使用される。ただし、本発明はテーブルをこたつに特定するものではなく、天板に伸縮脚を固定している全てのテーブルに使用できる。
【００１８】
図２と図３のテーブルは、天板１の四隅に伸縮脚２を固定している。このテーブルは、伸縮脚２の長さを調整して、天板１の高さを調整できるようにしている。天板１は四角形で、その四隅の下面に伸縮脚２を垂直姿勢に固定すると共に、下面の中央部にヒーター９を固定している。図に示す天板１は、下面に伸縮脚２とヒーター９を固定してなる天板本体１Ａと、この天板本体１Ａの上面に脱着自在に連結してなる表面板１Ｂとからなる。表面板１Ｂは、天板本体１Ａに外形の等しい四角形で、天板本体１Ａを貫通する連結ネジ８が下面にねじ込まれて、天板本体１Ａの定位置に連結されている。ただし、天板は楕円形や円形として、３〜４本の伸縮脚を固定して、テーブルとすることもできる。
【００１９】
伸縮脚２は、図４ないし図１２に示すように、中空筒状の筒体３と、この筒体３を天板１に固定している固定具４と、筒体３の下端に連結している伸縮機構５とを備える。
【００２０】
図に示す筒体３は、紙を円筒状に加工した紙管３Ａで、上下の両端を開口している。図の筒体３は円筒状とするが、筒体には、詳細には後述するが、角筒状に加工したものも使用できる。紙管３Ａである筒体は、安価に多量生産できると共に、全体の重量を軽くしながら優れた耐荷重特性を実現できる特徴がある。ただ、筒体は、詳細には後述するが、木質系の板材を使用することもできる。
【００２１】
固定具４はプラスチック製である。図４ないし図８の固定具４は、天板１の下面に固定される鍔部１１と、この鍔部１１に直交するように連結されて筒体３に挿入される挿入部１２とをプラスチックで一体的に成形している。
【００２２】
鍔部１１は円盤状で、図８に示すように、天板１に固定する固定ネジ１８を挿入する貫通孔１１Ａを複数設けている。各々の貫通孔１１Ａに固定ネジ１８が挿入され、この固定ネジ１８が天板１の下面にねじ込まれて、鍔部１１は天板１の下面に固定される。
【００２３】
挿入部１２は、上端を鍔部１１に連結してなる固定ブロック１３及び複数の拡開ブロック１４に分割されて、複数の拡開ブロック１４と固定ブロック１３との間に拡開隙間１５を設けており、その外形を、筒体３に挿入でき、かつ外形を拡開して筒体３を固定できる円柱状としている。図５ないし図７の挿入部１２は、円筒を３分割して固定ブロック１３とふたつの拡開ブロック１４としている。固定ブロック１３を構成する１／３円筒部１３Ａは、その上端を鍔部１１に連結しており、拡開ブロック１４を構成する１／３円筒部１４Ａも、その上端を鍔部１１に連結している。さらに、各々の１／３円筒部１３Ａ、１４Ａは、天板１と平行なプレート部１３Ｂ、１４Ｂを一体的に成形して設けている。プレート部１３Ｂ、１４Ｂは、円盤を１／３に分割した扇形であって、外周を１／３円筒部１３Ａ、１４Ａに連結している。固定ブロック１３に設けている扇形のプレート部１３Ｂと、拡開ブロック１４に設けている扇形のプレート部１４Ｂの間に拡開隙間１５を設けており、また、隣接する拡開ブロック１４に連結している扇形のプレート部１４Ｂの間にも拡開隙間１５を設けている。
【００２４】
固定ブロック１３のプレート部１３Ｂは、図５ないし図８に示すように、表面に突出するようにブロック部１３Ｃを設けて、このブロック部１３Ｃに拡開ネジ１６をねじ込む雌ねじ孔１３ａを設けている。雌ねじ孔１３ａは、天板１と平行な方向、すなわち水平方向であって、ここにねじ込まれる拡開ネジ１６が、ふたつの拡開ブロック１４の間の拡開隙間１５に向かってねじ込まれる位置に設けている。
【００２５】
拡開ブロック１４のプレート部１４Ｂは、その間に拡開隙間１５を設けて、ここに拡開ネジ１６の圧入部１６Ａを挿入するようにしている。拡開ブロック１４は、この拡開隙間１５に拡開ネジ１６の圧入部１６Ａが挿入されて、挿入部１２の外形を拡開する。したがって、隣接する拡開ブロック１４のプレート部１４Ｂの間に設けている拡開隙間１５の間隔は、拡開ネジ１６の圧入部１６Ａの外径よりも狭くしている。狭い拡開隙間１５に太い圧入部１６Ａが挿入されて、拡開ブロック１４は拡開される。拡開される拡開ブロック１４は、挿入部１２の外径を大きくする。
【００２６】
以上の伸縮脚２は、図６に示すように、挿入部１２を筒体３の上端に挿入した後、図７に示すように、拡開ネジ１６をねじ込んで拡開ブロック１４を拡開して、挿入部１２を筒体３に固定させる。筒体３を挿入部１２に挿入する状態で拡開ネジ１６を回転できるように、筒体３には拡開ネジ１６を回転させる、ドライバーや六角レンチ１９Ａなどの回転具１９を挿通する開口部１７を設けている。ドライバーで回転される拡開ネジは、ねじ頭にプラスやマイナスの溝を設けており、六角レンチ１９Ａで回転される拡開ネジ１６は、ねじ頭に六角レンチ１９Ａを挿入する六角形の凹部１６Ｂを設けている。
【００２７】
筒体３の下端に連結している伸縮機構５は、図４に示すように、筒体３の下端の内側に挿入して固定されて、内面に雌ネジ孔２１Ａを有する固定筒２１と、この固定筒２１の雌ネジ孔２１Ａにねじ込まれる長さ調整ネジ２２と、長さ調整ネジ２２の雄ネジ２２ａにねじ込んでなるロックナット２３とを備える。
【００２８】
固定筒２１は、外形を筒体３の内形として筒体３に挿入して接着などの方法で固定している。ただ、固定筒は、テーブルの加重で押し込まれる状態となるので、接着することなく挿入して、抜けないように固定できる。図９の固定部２１は、下端にリング鍔２１Ｂを連結している。リング鍔２１Ｂは、固定筒２１の外形よりも大きく、リング鍔２１Ｂと固定筒２１とを複数の連結リブ２１Ｃで連結している。固定筒２１と連結リブ２１Ｃとリング鍔２１Ｂはプラスチックで一体的に成形している。リング鍔は、その外形を筒体の外形よりも大きくすると共に、上面の外周部にリング溝を設けて、ここに筒体の下端を挿入して連結することもできる。
【００２９】
長さ調整ネジ２２は、固定筒２１の雌ねじ孔２１Ａにねじ込まれる雄ネジ２２ａを設けたネジ部２２Ａの下端にリングプレート２２Ｂを設けている。リングプレート２２Ｂの外形は、ネジ部２２Ａの外径よりも大きく、固定筒２１に設けてるリング鍔２１Ｂの外形に等しくしている。リングプレート２２Ｂの外周に凹凸２２ｂを設けて手でスリップしないように回転できる構造としている。さらに、図９に示す長さ調整ネジ２２は、ネジ部２２Ａの外周面に、軸方向に伸びる目盛り２４を設けている。図に示す長さ調整ネジ２２は、ネジ部２２の外周面に、雄ネジ２２ａを設けない帯状の露出部２５を設けており、この露出部２５に目盛り２４を付している。この構造の伸縮機構５は、長さ調整ネジ２２の突出量を目盛り２４の数値でもって正確に特定できる。したがって、複数の伸縮脚２の伸縮機構５の突出量を正確に合わせて、すべての伸縮脚２の高さを簡単かつ速やかに調整できる。
【００３０】
ロックナット２３は、外径をリング鍔２１Ｂとリングプレート２２Ｂの外径とし、内側には長さ調整ネジ２２の雄ネジ２２ａをねじ込むことができる雌ねじ孔２３Ａを設けている。図９のロックナット２３は、内側リング２３Ｂと外側リング２３Ｃとを連結リブ２３Ｄで連結する形状として、内側リング２３Ｂの内面に雌ねじ孔２３Ａを設けて、外側リング２３Ｃの外径をリング鍔２１Ｂとリングプレート２２Ｂの外径としている。
【００３１】
以上の伸縮機構５は、以下のようにして伸縮脚２の長さを調整する。
（１）図１０に示すように、ロックナット２３を緩める状態で、長さ調整ネジ２２のリングプレート２２Ｂを回転させて、長さ調整ネジ２２を固定筒２１から引き出す。
（２）図１１に示すように、伸縮脚２の長さが所望の長さとなるまで長さ調整ネジ２２を引き出した後、ロックナット２３を回転させて固定筒２１まで上昇させる。
（３）図１２に示すように、ロックナット２３を固定筒２１のリング鍔２１Ｂに締め付けて回転しないように固定する。この状態で、伸縮機構５は、長さ調整ネジ２２が回転しないように引き出された位置で固定される。
【００３２】
以上のテーブルは、紙管３Ａである筒体３を円筒状とするが、筒体３には、図１３に示すように、角筒状の紙管３Ａも使用できる。角筒状の筒体３を天板１に固定する固定具４は、図１３ないし図１５に示すように、挿入部１２の外形を筒体３に挿入できる四角柱状とする。この挿入部１２は、図１４と図１５の断面図に示すように、四角形の対角線の方向に拡開ネジ１６をねじ込んで、この拡開ネジ１６がねじ込まれる対角線に沿って設けた拡開隙間１５で拡開ブロック１４を分割し、この拡開隙間１５に拡開ネジ１６をねじ込んで、拡開ブロック１４を拡開して挿入部１２を四角筒状の筒体３に固定する。
【００３３】
さらに、このテーブルは、伸縮脚２の伸縮機構５において、図１３に示すように、固定筒２１の外形を角筒の筒体３に挿入できる四角形として筒体３に固定する以外は、円筒状の筒体３に連結するものと同じ構造にできる。
【００３４】
さらに、図１６と図１７に示すテーブルは、伸縮脚２の筒体３を木質系の板材で製造している。木質系の板材は、木材が粉砕された木材粉砕片を接着剤で結合して板状にしているＭＤＦやパーチクルボード、または木板のいずれかである。木板には、天然木を板状に切断してなる無垢の木板、あるいは合板が使用できる。図１８ないし図２１に示す筒体３は、木質系の板材３０としてＭＤＦ３０Ａを角筒状に加工して製造している。この筒体３は、以下のようにして製造される。
【００３５】
（１）木質系の板材３０であるＭＤＦ３０Ａを所定の幅と長さに切断する。
（２）所定の大きさに切断されたＭＤＦ３０Ａの一方の表面に、図１８に示すように、表面シート３５を付着する。
（３）図１９に示すように、ＭＤＦ３０Ａの他方の面であって、表面シート３５を付着していない面に複数列のＶ溝３２を設けて、ＭＤＦ３０Ａを複数列の分割プレート部３１に区画する。図に示す筒体３は正方形の角筒状とするので、ＭＤＦ３０Ａの長さ方向に向かって等間隔で３列のＶ溝３２を設けて４枚の分割プレート部３１に区画する。Ｖ溝３２は、ＭＤＦ３０Ａを折曲して、隣り合う分割プレート部３１を所定の角度で連結して角筒状に成形できるように、所定の深さと所定の角度に設けられる。この工程において、ＭＤＦ３０Ａは、複数の分割プレート部３１に分割されるが、複数の分割プレート部３１は表面を表面シート３５で連結しているので分離されることはない。
（４）さらに、両側の分割プレート部３１の側縁を斜めに面取りしてカット面３３を設ける。このカット面３３は、ＭＤＦ３０Ａを角筒状に折曲して、両側の分割プレート部３１の側縁を所定の角度で連結できるように、所定の角度に設けられる。
（５）図２０に示すように、ＭＤＦ３０ＡをＶ溝３２で折曲し、この部分を接着剤で接着して隣接する分割プレート部３１を直角に連結する。
（６）さらに、両側の分割プレート部３１のカット面３３を接着剤で接着して、ＭＤＦ３０Ａの両側縁を直角に連結し、図２２に示す角筒状の筒体３とする。
【００３６】
以上の筒体３は、木質系の板材３０の一方の表面に表面シート３５を付着し、この表面シート３５でもって、複数の分割プレート部３１を切り離すことなく折曲して筒状に成形している。ただ、木質系の板材は、必ずしも表面に表面シートを付着する必要はなく、複数の分割プレート部が互いに切り離されない深さのＶ溝を設けると共に、このＶ溝で板材を折曲して筒状に成形することもできる。さらに、筒体は、図示しないが、複数枚の分離プレートを組み合わせて全体の形状を筒状とすることもできる。この筒体は、例えば、両側縁部を４５度に面取りしてある４枚の分離プレートを、面取り部分で接着して四角形の角筒状に成形することができる。
【００３７】
さらに、木質系の板材３０を角筒状に成形してなる筒体３は、板材の厚さに相当する厚みを有するので、外周面を切削してその外形や表面形状を種々にデザインすることもできる。図２２に示す筒体３は、図において上方に向かって外形が小さくなるように外周面を切削して、全体の形状をテーパー状に成形している。さらに、図２３に示す筒体３は、角筒のコーナー部の複数箇所に凹部３４を設けて、全体を立体感のある外観としている。これらの筒体３は、全体形状や表面形状を種々のデザインに設計して意匠性を向上できる。
【００３８】
さらに、木質系の板材３０としてＭＤＦ３０Ａや合板等を角筒状に成形してなる筒体３は、テーブルのタイプや用途に応じて、所定の色に着色し、あるいは表面に木目模様を設けて外観を良くすることもできる。表面を木目模様とする筒体は、表面に突き板を付着して、あるいは木目模様をプリントしてなるシート材を付着して、あるいはまた、木目模様を直接にプリントして木目調の外観にできる。さらに、天然木の無垢の木板を角筒状に成形してなる筒体は、その表面を複雑な凹凸形状としながら、天然木に特有の質感を有する外観とすることができる。
【００３９】
以上の筒体３も、前述の図１３ないし図１５に示す伸縮脚２と同様に、挿入部１２の外形を四角柱状とする固定具４を使用して、天板１に連結することができる。また、この筒体３は、図１７に示すように、固定筒２１の外形を角筒の筒体３に挿入できる四角形として筒体３に固定する以外は、前述の円筒状の筒体３に連結する伸縮機構５と同じ構造のものを使用して伸縮脚２とすることができる。
【符号の説明】
【００４０】
１…天板                      １Ａ…天板本体
１Ｂ…表面板
２…伸縮脚
３…筒体                      ３Ａ…紙管
４…固定具
５…伸縮機構
８…連結ネジ
９…ヒーター
１１…鍔部                    １１Ａ…貫通孔
１２…挿入部
１３…固定ブロック            １３Ａ…１／３円筒部
１３Ｂ…プレート部
１３Ｃ…ブロック部
１３ａ…雌ねじ孔
１４…拡開ブロック            １４Ａ…１／３円筒部
１４Ｂ…プレート部
１５…拡開隙間
１６…拡開ネジ                １６Ａ…圧入部
１６Ｂ…凹部
１７…開口部
１８…固定ネジ
１９…回転具                  １９Ａ…六角レンチ
２１…固定筒                  ２１Ａ…雌ネジ孔
２１Ｂ…リング鍔
２１Ｃ…連結リブ
２２…長さ調整ネジ            ２２Ａ…ネジ部
２２Ｂ…リングプレート
２２ａ…雄ネジ
２２ｂ…凹凸
２３…ロックナット            ２３Ａ…雌ねじ孔
２３Ｂ…内側リング
２３Ｃ…外側リング
２３Ｄ…連結リブ
２４…目盛り
２５…露出部
３０…木質系の板材            ３０Ａ…ＭＤＦ
３１…分割プレート部
３２…Ｖ溝
３３…カット面
３４…凹部
３５…表面シート
９１…固定脚
９２…昇降脚
９３…凹溝
９４…スライダー収納部
９５…スライダー
９６…貫通孔
９７…止ネジ
９８…頭部
【図１】
2011136068.tif 000003
【図２】
2011136068.tif 000004
【図３】
2011136068.tif 000005
【図４】
2011136068.tif 000006
【図５】
2011136068.tif 000007
【図６】
2011136068.tif 000008
【図７】
2011136068.tif 000009
【図８】
2011136068.tif 000010
【図９】
2011136068.tif 000011
【図１０】
2011136068.tif 000012
【図１１】
2011136068.tif 000013
【図１２】
2011136068.tif 000014
【図１３】
2011136068.tif 000015
【図１４】
2011136068.tif 000016
【図１５】
2011136068.tif 000017
【図１６】
2011136068.tif 000018
【図１７】
2011136068.tif 000019
【図１８】
2011136068.tif 000020
【図１９】
2011136068.tif 000021
【図２０】
2011136068.tif 000022
【図２１】
2011136068.tif 000023
【図２２】
2011136068.tif 000024
【図２３】
2011136068.tif 000025